(57)【要約】      （修正有）【課題】本発明は震災発生地、地方自治体等の湖沼等の底に沈んだ放射性物質を含む泥の洗浄処理方法及び処理装置を提供する。【解決手段】放射性物質を含む泥１を洗浄吸収液２２と混合し、放射性物質を含む泥部分および洗浄吸収液との混合物６と、洗浄土石廃材５に２分類する第１工程と、洗浄土石廃材の中の石、木屑、金属片等を洗浄吸収液にて再度泥部分と放射性物質を取除くと共に、取除いた放射性物質を含む泥部分と洗浄吸収液の混合物１１、利用不可能な洗浄土石廃材１２および利用可能な洗浄土石廃材１３に分類する第２工程と、第１工程からの混合物と第２工程からの混合物に放射性物質吸収剤１８、および凝集剤１９を混合し洗浄吸収液２２と汚泥２３に分類する第３工程と、汚泥を土石廃材２５、セメント２８および固化薬剤２７を混合し混合物固体とする第４工程により、放射性物質を含む泥の洗浄処理方法。【選択図】図１
2014157146.tif 000002
【特許請求の範囲】
【請求項１】
放射性物質を含む泥を洗浄吸収液と混合し、前記放射性物質を含む泥部分および前記洗浄吸収液との混合物と、洗浄土石廃材に２分類する第１工程と、前記洗浄土石廃材５の中の石、木屑、金属片等を前記洗浄吸収液にて再度泥部分と前記放射性物質を取除くと共に、取除いた前記放射性物質を含む前記泥部分と前記洗浄吸収液の混合物、利用不可能な洗浄土石廃材および利用可能な洗浄土石廃材に分類する第２工程と、前記第１工程からの混合物と前記第２工程からの混合物に放射性物質吸収剤、および凝集剤を混合し前記洗浄吸収液と汚泥に分類する第３工程と、前記汚泥を土石廃材、セメントおよび固化薬剤を混合し混合物固体とする第４工程からなる放射性物質を含む泥の洗浄処理方法。
【請求項２】
放射性物質を含む泥を洗浄吸収液と混合し、前記放射性物質を含む泥部分および前記洗浄吸収液との混合物と、洗浄土石廃材に２分類する回転式洗浄選別機と、前記洗浄土石廃材５の中の石、木屑、金属片等を前記洗浄吸収液にて再度泥部分と前記放射性物質を取除くと共に、取除いた前記放射性物質を含む前記泥部分と前記洗浄吸収液の混合物、利用不可能な洗浄土石廃材および利用可能な洗浄土石廃材に分類する多段式洗浄選別機と、前記第１工程からの混合物と前記第２工程からの混合物に放射性物質吸収剤、および凝集剤を混合し前記洗浄吸収液と汚泥に分類する脱水機と、前記汚泥を土石廃材、セメントおよび固化薬剤を混合する混合機からなる放射性物質を含む泥の処理装置。
【発明の詳細な説明】
【技術分野】
【０００１】  本発明は放射性物質を含む泥の処理に関する放射性物質除去方法及び処理装置に関するものである。
【背景技術】
【０００２】  従来河川湖沼などの泥等の浄化方法としては種々の提案が行われている。例えば、放射性物質を含む泥を洗浄し放射性物質を取除き、その後、汚泥を乾燥固形化して放射能遮蔽機能を有するカプセルへ封入処理する方法がある。特許文献参照
【先行技術文献】
【０００３】
【特許文献】
【特許文献】  特許第５０２３２４７号公報
【発明概要】
【発明が解決しようとする課題】
【０００４】  本発明は震災発生場所等の地区における湖沼等の底に沈んだ放射性物質を含む泥処理問題を解決する事にある。
【０００５】  従来は泥等の洗浄放射性物質を取除き汚泥とした物を乾固形化して放射能遮蔽機能を有するカプセルへ封入し処理していた。
【課題を解決すための手段】
【０００６】  課題を解決するために本願発明は、放射性物質を含む泥を洗浄吸収液と混合し、放射性物質を含む泥部分および洗浄吸収液との混合物と、洗浄土石廃材に２分類する第１工程と、洗浄土石廃材５の中の石、木屑、金属片等を前記洗浄吸収液にて再度泥部分と放射性物質を取除くと共に、取除いた放射性物質を含む泥部分と洗浄吸収液の混合物、利用不可能な洗浄土石廃材および利用可能な洗浄土石廃材に分類する第２工程と、第１工程からの混合物と第２工程からの混合物に放射性物質吸収剤、および凝集剤を混合し洗浄吸収液と汚泥に分類する第３工程と、汚泥を土石廃材、セメントおよび固化薬剤を混合し混合物固体とする第４工程からなり、放射性物質を含む泥の洗浄処理を可能とした物である。
また本願発明は、放射性物質を含む泥を洗浄吸収液と混合し、放射性物質を含む泥部分および洗浄吸収液との混合物と、洗浄土石廃材に２分類する回転式洗浄選別機と、洗浄土石廃材５の中の石、木屑、金属片等を洗浄吸収液にて再度泥部分と放射性物質を取除くと共に、取除いた放射性物質を含む泥部分と洗浄吸収液の混合物、利用不可能な洗浄土石廃材および利用可能な洗浄土石廃材に分類する多段式洗浄選別機と、第１工程からの混合物と第２工程からの混合物に放射性物質吸収剤、および凝集剤を混合し洗浄吸収液と汚泥に分類する脱水機と、汚泥を土石廃材、セメントおよび固化薬剤を混合する混合機からなる放射性物質を含む泥の処理装置を実現するものである。
【発明の効果】
【０００７】  本発明によれば放射性物質を含んでいる処理対象である湖沼等の泥から効果的に放射性物質を除去できる放射性物質の除去法及び除去装置を提供する事が出来る。
【図面の簡単な説明】
【０００８】
【図１】  放射性物質含む泥の洗浄処理装置のシステム図
【発明を実施する為の形態】
【実施例】
【０００９】  以下図面に基づいて本発明の実施例を説明する【００１０】  湖沼等の放射性物質を含む泥１をボンプ船の吸収機（図に示せず）により陸上の放射性物質を含む泥の洗浄処理装置の第１工程の回転式洗浄選別機２へ送る。【００１１】  第１工程の回転式洗浄選別機２では、湖沼等の放射性物質を含む泥１の泥部分を細かく解体すると共に、同じに回転式洗浄選別機２へ送られてきた湖沼等の放射性物質を含む泥１を洗浄吸収液槽３の洗浄吸収液２２をノズル４より噴霧し、湖沼等の放射性物質を含む泥１を回転洗浄し放射性物質を含む泥部分と洗浄吸収液との混合物６と洗浄土石廃材５に２分類する。【００１２】  回転式洗浄選別機２で分類された放射性物質を含む泥と洗浄吸収液の混合物６は第３工程の洗浄吸収溜液槽１７へ送られる。【００１３】  湖沼等の放射性物質を含む泥１より放射性物質含む泥部分と洗浄吸収液の混合物６を取除いた洗浄土石廃材５は第２工程の多段式洗浄選別機７へ送られる。【００１４】  第２工程の多段洗浄選別機７へ送られてきた洗浄土石廃材５の中にある石、木屑、金属片等へ再度洗浄吸収液２２を噴霧し、洗浄土石廃材５の中の放射性物質含む泥部分と洗浄吸収液の混合物１１と、小さな洗浄土石廃材、木屑、金属片等の再利用不可能な洗浄土石廃材１２と、利用可能な洗浄土石廃材１３に分類し、放射性物質を含む泥部分と洗浄吸収液の混合物１１は、第３工程の洗浄吸収溜液槽１７へ送られる。【００１５】  第２工程の多段式選別機７で洗浄選別する洗浄土石廃材５の中で上段選別網９を通過し、下段選別網１０を通過しない利用不可能な土石廃材１２は小さな石に小さな木屑、金属片等が含まれている為、廃材として処理する。【００１６】  第２工程で多段式洗浄選別機７の上段選別網９を通過しなかった利用可能な洗浄土石廃材１３は金属選別機１４で金属片を取除き手選別１５で木屑等を取除き利用可能な洗浄土石廃材１６になる。【００１７】  第３工程の洗浄吸収溜液槽１７へ送られた第１工程の放射性物質含む泥部分と洗浄吸収液の混合物６と、第２工程の放射性物質含む泥部分と洗浄吸収液の混合物１１は同じ混合物であるために、第３工程の洗浄吸収溜液槽１７で混合する。【００１８】  混合された放射性物質を含む泥部分と洗浄吸収液の混合物６の入った吸収溜液槽１７へ放射性物質吸収剤槽１８より放射性物質吸収剤を投入し、又同じに凝集剤槽１９より凝集剤を投入する。【００１９】  洗浄吸収溜液槽１７内での放射性物質を含む泥部分と洗浄吸収液の混合物６および１１に放射性物質吸収剤と凝集剤を加え混合した物は洗浄吸収液含む汚泥となり、中間タンク２０へ送られる。【００２０】  中間タンク２０より洗浄吸収液含む汚泥を脱水機２１へ送る。【００２１】  中間タンク２０から送られた洗浄吸収液含む汚泥は脱水機２１により、洗浄吸収液を含む汚泥より洗浄吸収液を取除く。【００２２】  脱水機２１により洗浄吸収液含む汚泥より取除いた洗浄吸収液２２は第１工程の洗浄吸収液槽３へ送られ、再度洗浄吸収液として使用する。【００２３】  脱水機２１で洗浄吸収液を取除いた汚泥２３は混合機２４へ送られる。【００２４】  洗浄吸収液を取除いた汚泥２３の入った混合機２４へ土石廃材槽２５より他の土石廃材を投入���合し、セメント槽２６よりセメントを投入混合する。【００２５】  混合機２４で混合した洗浄吸収液を取除いた汚泥２３と土石廃材槽２５からの土石廃材とセメント槽２６からのセメントの混合物に多機能固化薬剤混合液水槽２７より多機能固化薬剤混合液を投入し、混合する。【００２６】  第４工程で洗浄吸収液を取除いた汚泥２３、土石廃材槽２５からの土石廃材、セメント槽２６からのセメント、多機能固化薬剤混合液水槽２７からの多機能固化薬剤混合液の４種類の混合物２８は固化する型２９へ投入し、養生して型２９より取り出し洗浄吸収液を取除いた汚泥２３、土石廃材槽２５からの土石廃材、セメント、多機能固化薬剤混合液の混合物個体３０になる。【００２７】  混合物個体３０は他の土石廃材等の使用場所にて使用する。又、小さく破砕して他の土石廃材に混合して使用する事も出来る。【００２８】  尚、図において二点鎖線は、第１工程、第２工程、第３工程および第４工程を示す線である。
【符号の説明】
【００２９】１・・・湖沼等の放射性物質含む泥
２・・・回転式洗浄選別機
３・・・洗浄吸収液槽
４・・・ノズル
５・・・洗浄土石廃材
６・・・放射性物質含む泥部分と洗浄吸収液の混合物
７・・・多段式洗浄選別機
８・・・ノズル
９・・・上段選別網
１０・・・下段選別網
１１・・・放射性物質含む泥部分と洗浄吸収液の混合物
１２・・・利用不可能な洗浄土石廃材
１３・・・利用可能な洗浄土石廃材
１４・・・金属片選別機
１５・・・手選別
１６・・・利用可能な洗浄土石廃材
１７・・・洗浄吸収溜液槽
１８・・・放射性物質吸収剤槽
１９・・・凝集剤槽
２０・・・中間タンク
２１・・・脱水機
２２・・・洗浄吸収液
２３・・・洗浄吸収液を取除いた汚泥
２４・・・混合機
２５・・・土石廃材槽
２６・・・セメント槽
２７・・・多機能固化薬剤混合液水槽
２８・・・混合物
２９・・・型
３０・・・混合物固体
【図１】
2014157146.tif 000003